【手続補正書】
【提出日】平成27年7月10日(2015.7.10)
【手続補正１】
【補正対象書類名】明細書
【補正対象項目名】００８７
【補正方法】変更
【補正の内容】
【００８７】
【表１】
2014521127.tif 000001
本発明の実施態様の一部を以下の項目［１］−［１９］に記載する。
[１]
太陽光方向転換グレージング構成体であって、
第１主表面及び第２主表面を有する第１グレージング基材と、
前記第１グレージング基材の前記第１主表面上に配置された第１太陽光方向転換層であって、前記第１太陽光方向転換層は複数のプリズム構造を形成する微細構造化表面を含む、第１太陽光方向転換層と、
前記第１グレージング基材の前記第２主表面上に配置された第２太陽光方向転換層であって、前記第２太陽光方向転換層は複数のプリズム構造を形成する微細構造化表面を含む、第２太陽光方向転換層と
を含み、
前記第１太陽光方向転換層及び前記第２太陽光方向転換層が同一又は鏡像ではないように、前記第１微細構造化表面又は前記第２微細構造化表面の少なくとも一方が、複数の非対称屈折プリズムの秩序配列を含む、太陽光方向転換グレージング構成体。
[２]
前記第１太陽光方向転換層及び前記第２太陽光方向転換層の両方が、複数の非対称プリズム構造の秩序配列を形成する微細構造化表面を含む、項目１に記載の太陽光方向転換グレージング構成体。
[３]
前記第１太陽光方向転換層及び前記第２太陽光方向転換層がずれている、項目２に記載の太陽光方向転換グレージング構成体。
[４]
複数の非対称プリズム構造の秩序配列を含む前記太陽光方向転換層が、第１主表面及び前記第１主表面と反対側の第２主表面を有する光学基材であって、前記第１主表面は非対称構造を含む微細構造化表面を含み、前記非対称構造が複数の多面屈折プリズムの秩序配列を含み、前記多面屈折プリズムのそれぞれの断面が少なくとも４つの面（面Ａ、Ｂ、Ｃ及びＤ）を含み、前記多面屈折プリズムのそれぞれの面Ａが前記光学基材の前記第１主表面と平行でありかつこれと隣接し、前記多面屈折プリズムのそれぞれの面Ｂが面Ａに接合され、水平の上で面Ａに対する垂線から５〜８０°の角度での前記光学基材の前記第２主表面上への入射光線の全内部反射を生成するように設計され、前記多面屈折プリズムのそれぞれの面Ｃが面Ａに接合され、前記多面屈折プリズムのそれぞれの面Ｄが面Ｃ及び面Ｂに接続され、かつ面Ｂから反射される光線を、面Ｂから離れかつ面Ｃ及び／又はＤに向かう方向に実質的に方向転換するように設計され、前記第１光学フィルムの前記第２主表面が前記第１グレージング基材に接着される、光学基材を含む、項目１に記載の太陽光方向転換グレージング構成体。
[５]
前記非対称構造が、前記光学基材の前記第１主表面から、５０マイクロメートル〜２５０マイクロメートル突出する、項目４に記載の太陽光方向転換グレージング構成体。
[６]
前記非対称構造が熱可塑性又は熱硬化性材料を含む、項目４に記載の太陽光方向転換グレージング構成体。
[７]
太陽光方向転換グレージング構成体であって、
第１主表面及び第２主表面を有する第１グレージング基材と、
前記第１グレージング基材の前記第１主表面又は前記第２主表面のいずれかの上に配置された第１太陽光方向転換層であって、前記第１太陽光方向転換層は複数のプリズム構造を形成する主表面を含む、第１太陽光方向転換層と、
第１主表面及び第２主表面を有する第２グレージング基材と、
前記第２グレージング基材の前記第１主表面又は前記第２主表面の上に配置された第２太陽光方向転換層であって、前記第２太陽光方向転換層は複数のプリズム構造を形成する主表面を含む、第２太陽光方向転換層と
を含み、
前記第１太陽光方向転換層及び前記第２太陽光方向転換層が同一又は鏡像ではないように、前記第１微細構造化表面又は前記第２微細構造化表面の少なくとも一方が、複数の非対称屈折プリズムの秩序配列を含む、太陽光方向転換グレージング構成体。
[８]
複数のプリズム構造を形成する主表面を含む前記第１太陽光方向転換層が、前記第１グレージング基材の前記第１主表面上に配置され、前記第１グレージング基材の前記第１主表面が、前記グレージング構成体の外部表面を含む、項目７に記載の太陽光方向転換グレージング構成体。
[９]
前記第２太陽光方向転換層が、前記第２グレージング基材の前記第１主表面上に配置され、前記第２グレージング基材の前記第１主表面が、前記グレージング構成体の内部表面である、項目８に記載の太陽光方向転換グレージング構成体。
[１０]
前記第２太陽光方向転換層が、前記第２グレージング基材の前記第２主表面上に配置され、前記第２グレージング基材の前記第１主表面が、前記グレージング構成体の内部表面である、項目８に記載の太陽光方向転換グレージング構成体。
[１１]
複数のプリズム構造を形成する主表面を含む前記第１太陽光方向転換層が、前記第１グレージング基材の前記第２主表面上に配置され、前記第１グレージング基材の前記第１主表面が、前記グレージング構成体の外部表面を含む、項目７に記載の太陽光方向転換グレージング構成体。
[１２]
前記第２太陽光方向転換層が、前記第２グレージング基材の前記第１主表面上に配置され、前記第２グレージング基材の前記第１主表面が、前記グレージング構成体の内部表面である、項目１１に記載の太陽光方向転換グレージング構成体。
[１３]
前記第２太陽光方向転換層が、前記第２グレージング基材の前記第２主表面上に配置され、前記第２グレージング基材の前記第１主表面が、前記グレージング構成体の内部表面である、項目１１に記載の太陽光方向転換グレージング構成体。
[１４]
前記第１グレージング基材と前記第２グレージング基材との間に空隙が存在する、項目７に記載の太陽光方向転換グレージング構成体。
[１５]
前記第１太陽光方向転換層及び前記第２太陽光方向転換層の両方が、複数の非対称プリズム構造の秩序配列を形成する主表面を含む、項目７に記載の太陽光方向転換グレージング構成体。
[１６]
前記第１太陽光方向転換層及び前記第２太陽光方向転換層がずれている、項目１５に記載の太陽光方向転換グレージング構成体。
[１７]
複数の非対称プリズム構造の秩序配列を含む前記太陽光方向転換層が、第１主表面及び前記第１主表面と反対側の第２主表面を有する光学基材であって、前記第１主表面は非対称構造を含む微細構造化表面を含み、前記非対称構造が複数の多面屈折プリズムの秩序配列を含み、前記多面屈折プリズムのそれぞれの断面が少なくとも４つの面（面Ａ、Ｂ、Ｃ及びＤ）を含み、前記多面屈折プリズムのそれぞれの面Ａが前記光学基材の前記第１主表面と平行でありかつこれと隣接し、前記多面屈折プリズムのそれぞれの面Ｂが面Ａに接合され、水平の上で面Ａに対する垂線から５〜８０°の角度での前記光学基材の前記第２主表面上への入射光線の全内部反射を生成するように設計され、前記多面屈折プリズムのそれぞれの面Ｃが面Ａに接合され、前記多面屈折プリズムのそれぞれの面Ｄが面Ｃ及び面Ｂに接続され、かつ面Ｂから反射される光線を、面Ｂから離れかつ面Ｃ及び／又はＤに向かう方向に実質的に方向転換するように設計され、前記第１光学フィルムの前記第２主表面がグレージング基材に接着される、光学基材を含む、項目７に記載の太陽光方向転換グレージング構成体。
[１８]
前記非対称構造が、前記光学基材の前記第１主表面から、５０マイクロメートル〜２５０マイクロメートル突出する、項目１７に記載の太陽光方向転換グレージング構成体。
[１９]
前記非対称構造が熱可塑性又は熱硬化性材料を含む、項目１８に記載の太陽光方向転換グレージング構成体。
【手続補正２】
【補正対象書類名】特許請求の範囲
【補正対象項目名】全文
【補正方法】変更
【補正の内容】
【特許請求の範囲】
【請求項１】
太陽光方向転換グレージング構成体であって、
第１主表面及び第２主表面を有する第１グレージング基材と、
前記第１グレージング基材の前記第１主表面上に配置された第１太陽光方向転換層であって、前記第１太陽光方向転換層は複数のプリズム構造を形成する微細構造化表面を含む、第１太陽光方向転換層と、
前記第１グレージング基材の前記第２主表面上に配置された第２太陽光方向転換層であって、前記第２太陽光方向転換層は複数のプリズム構造を形成する微細構造化表面を含む、第２太陽光方向転換層と
を含み、
前記第１太陽光方向転換層及び前記第２太陽光方向転換層が同一又は鏡像ではないように、前記第１微細構造化表面又は前記第２微細構造化表面の少なくとも一方が、複数の非対称屈折プリズムの秩序配列を含む、太陽光方向転換グレージング構成体。
【請求項２】
前記第１太陽光方向転換層及び前記第２太陽光方向転換層の両方が、複数の非対称プリズム構造の秩序配列を形成する微細構造化表面を含む、請求項１に記載の太陽光方向転換グレージング構成体。
【請求項３】
前記第１太陽光方向転換層及び前記第２太陽光方向転換層がずれている、請求項２に記載の太陽光方向転換グレージング構成体。
【請求項４】
複数の非対称プリズム構造の秩序配列を含む前記太陽光方向転換層が、第１主表面及び前記第１主表面と反対側の第２主表面を有する光学基材であって、前記第１主表面は非対称構造を含む微細構造化表面を含み、前記非対称構造が複数の多面屈折プリズムの秩序配列を含み、前記多面屈折プリズムのそれぞれの断面が少なくとも４つの面（面Ａ、Ｂ、Ｃ及びＤ）を含み、前記多面屈折プリズムのそれぞれの面Ａが前記光学基材の前記第１主表面と平行でありかつこれと隣接し、前記多面屈折プリズムのそれぞれの面Ｂが面Ａに接合され、水平の上で面Ａに対する垂線から５〜８０°の角度での前記光学基材の前記第２主表面上への入射光線の全内部反射を生成するように設計され、前記多面屈折プリズムのそれぞれの面Ｃが面Ａに接合され、前記多面屈折プリズムのそれぞれの面Ｄが面Ｃ及び面Ｂに接続され、かつ面Ｂから反射される光線を、面Ｂから離れかつ面Ｃ及び／又はＤに向かう方向に実質的に方向転換するように設計され、前記第１光学フィルムの前記第２主表面が前記第１グレージング基材に接着される、光学基材を含む、請求項１に記載の太陽光方向転換グレージング構成体。
【請求項５】
太陽光方向転換グレージング構成体であって、
第１主表面及び第２主表面を有する第１グレージング基材と、
前記第１グレージング基材の前記第１主表面又は前記第２主表面のいずれかの上に配置された第１太陽光方向転換層であって、前記第１太陽光方向転換層は複数のプリズム構造を形成する主表面を含む、第１太陽光方向転換層と、
第１主表面及び第２主表面を有する第２グレージング基材と、
前記第２グレージング基材の前記第１主表面又は前記第２主表面の上に配置された第２太陽光方向転換層であって、前記第２太陽光方向転換層は複数のプリズム構造を形成する主表面を含む、第２太陽光方向転換層と
を含み、
前記第１太陽光方向転換層及び前記第２太陽光方向転換層が同一又は鏡像ではないように、前記第１微細構造化表面又は前記第２微細構造化表面の少なくとも一方が、複数の非対称屈折プリズムの秩序配列を含む、太陽光方向転換グレージング構成体。